(57)【要約】【課題】簡単なリモコン操作で一時録画およびさかのぼり再生を行うことができる録画再生システムを提供する。【解決手段】録画装置１０とＴＶ３０とは、ＨＤＭＩケーブル５０を介して接続され、ＴＶ３０のマイコン４０は、リモコン４１から受光部３９を介して入力される指示信号に基づき、ＣＥＣコマンドを用いて録画装置１０に一時録画やさかのぼり再生の動作を行わせる。【選択図】図１
2009188921.tif 000002
【特許請求の範囲】
【請求項１】
テレビジョン受信装置と、このテレビジョン受信装置と接続された録画装置とを備える録画再生システムであって、
前記テレビジョン受信装置は、
本録画再生システムを操作するための指示信号を受け付ける指示信号入力手段と、
放送される番組を受信して、この番組に含まれる映像信号を、第１の映像信号として抽出する第１の受信手段と、
前記録画装置から送信される第２の映像信号を受信する第２の受信手段と、
前記第１の映像信号と前記第２の映像信号とのいずれか一方を出力する出力手段と、
前記指示信号入力手段が、電源をオンするための前記指示信号を受け付けた場合、
本装置を、前記指示信号のみを受け付けるスタンバイ状態から、テレビジョン受信装置としての動作を実行する電源オン状態に切り換えるとともに、
前記録画装置に、前記第１の受信手段で受信中の番組と同じ番組を受信させ、この番組に含まれる映像信号を前記第２の映像信号として抽出させて、この抽出した第２の映像信号を一時録画させるための一時録画要求信号を生成し、この生成した一時録画要求信号を、前記録画装置に送信するとともに、
前記出力手段の出力を前記第１の映像信号とする一時録画要求手段と、
前記指示信号入力手段が、早戻し再生実行のための前記指示信号を受け付けた場合、
前記録画装置に一時録画されている前記第２の映像信号を早戻し再生させ、この早戻し再生によって得られる前記第２の映像信号を本装置の送信させるための早戻し再生要求信号を生成し、この生成した早戻し再生要求信号を、前記録画装置に送信するとともに、
前記出力手段の出力を、前記第２の受信手段で受信する前記第２の映像信号とする早戻し再生要求手段と、
前記指示信号入力手段が、通常再生実行のための前記指示信号を受け付けた場合、
前記録画装置に一時録画されている前記第２の映像信号を通常再生させ、この通常再生によって得られる前記第２の映像信号を本装置に送信させるための通常再生要求信号を、前記録画装置に送信するとともに、
前記出力手段の出力を、前記第２の受信手段で受信する前記第２の映像信号とする通常再生要求手段と、
を備える装置であり、
前記録画装置は、
放送される番組を受信して、この番組に含まれる映像信号を、前記第２の映像信号として抽出する第３の受信手段と、
前記第２の映像信号の記録および再生を実行する手段であり、前記第２の映像信号の記録を実行しながら、既に記録済みの前記第２の映像信号を再生することが可能な記録再生手段と、
前記記録再生手段で再生された前記第２の映像信号を、前記テレビジョン受信装置に送信する送信手段と、
前記一時録画要求信号を、前記テレビジョン受信装置から受信した場合、
前記第３の受信手段を用いて、前記テレビジョン受信装置の前記第１の受信手段で受信中の番組と同じ番組を受信させ、この番組に含まれる映像信号を抽出させ、この抽出させた映像信号を前記第２の映像信号として、前記記録再生手段を用いて一時録画させる一時録画制御手段と、
前記一時録画中に、前記早戻し再生要求信号を、前記テレビジョン受信装置から受信した場合、
前記記録再生手段を用いて、現在実行中の一時録画を継続させながら、既に一時録画された前記第２の映像信号を早戻し再生させ、この早戻し再生によって得られる前記第２の映像信号を、前記送信手段を用いて、前記テレビジョン受信装置へ送信する早戻し再生制御手段と、
前記早戻し再生中に、前記通常再生要求信号を、前記テレビジョン受信装置から受信した場合、
前記記録再生手段を用いて、現在実行中の早戻し再生を停止させるとともに、この早戻し再生を停止した時点以降に記録されている第２の映像信号を通常再生させ、この通常再生によって得られる第２の映像信号を、前記送信手段を用いて、前記テレビジョン受信装置へ送信する通常再生制御手段と、
を備える装置である、
ことを特徴とする録画再生システム。
【請求項２】
前記テレビジョン受信装置はさらに、
前記指示信号入力手段が、前記早戻し再生実行のための指示信号または前記通常再生実行のための指示信号を受け付けた後に、録画実行のための前記指示信号を受け付けた場合、
前記録画装置が、早戻し再生または通常再生している前記第２の映像信号を、前記録画実行のための指示信号を受け付けた時点以降から録画保存させるためのさかのぼり録画要求信号を生成し、この生成したさかのぼり録画要求信号を、前記録画装置に送信するさかのぼり録画要求手段を備える装置であり、
前記録画装置はさらに、
さかのぼり録画要求信号を、前記テレビジョン受信装置から受信した場合、前記記録再生手段を用いて、現在早戻し再生または通常再生している前記第２の映像信号を、前記さかのぼり録画要求信号を受け付けた時点以降から録画保存させるさかのぼり録画制御手段を備える装置である、
ことを特徴とする請求項１に記載の録画再生システム。
【発明の詳細な説明】
【技術分野】
【０００１】
本発明は、放送される番組を録画再生する録画再生システムに関する。
【背景技術】
【０００２】
従来、ハードディスクなどのランダムアクセス可能な記録媒体を用いた録画装置には、現在放送中の番組を所定時間一時録画しながら、この録画した番組を再生することにより、その番組の視聴（再生）時点を所定時間内で設定される任意の時間分さかのぼり、実際の放送時点とは、この任意の時間分だけ時間差をもって再生する所謂さかのぼり再生機能を有するものがある（例えば、特許文献１参照）。なお、「さかのぼり再生」は、便宜上使用する名称であり、「時間差再生」等、別の名称で呼ばれることもある。この機能により、ユーザは、番組の視聴中に所用により見逃したシーンをさかのぼり再生することで視聴することができる。
【０００３】
図３は、テレビジョン受信装置と上記のようなさかのぼり再生機能を有する録画装置とを接続した録画再生システムを示す概略図である。図３に示す録画再生システムにおいて、ユーザが視聴中の番組を一時録画するためには、以下のような操作が必要であった。なお、図３における録画装置２００は、テレビジョン受信装置（以下、ＴＶと略す）１００と同様の番組受信機能を有するものとする。
【０００４】
まず、ユーザは、ＴＶ１００を操作するためのリモコン１０１を操作してＴＶ１００の電源をオンするとともに、録画装置２００を操作するためのリモコン２０１を操作して録画装置２００の電源をオンする。
【０００５】
次いで、ユーザは、リモコン１０１を操作して、ＴＶ１００を、録画装置２００のモニタとなるように、入力を切り換える。
【０００６】
次いで、ユーザは、リモコン２０１を操作して、録画装置２００で受信する放送波のチャンネルを、視聴したい番組のチャンネルに合わせ、一時録画を開始する。これにより、ユーザは、録画装置２００が受信した放送中の番組をＴＶ１００で視聴しつつ、録画装置２００にその放送中の番組を一時録画させることができる。
【０００７】
そして、視聴中の番組をさかのぼり再生する際には、ユーザは、リモコン２０１を操作してさかのぼり再生を開始させ、終了したいときは、リモコン２０１を操作して、さかのぼり再生を停止する。
【特許文献１】特開２００４−４８７１８号公報
【発明の開示】
【発明が解決しようとする課題】
【０００８】
上述のように、従来の録画再生システムで一時録画およびさかのぼり再生を行うには、ＴＶ１００のリモコン１０１と、録画装置２００のリモコン２０１とを用いた煩雑な操作が必要であった。
【０００９】
ところで、ハードディスク内蔵のＴＶには、自動的に視聴中の番組を一時録画してさかのぼり再生を可能とする機能を有するものもある。このようなＴＶでは、ＴＶ用のリモコン操作のみで一時録画およびさかのぼり再生を実行することができる。
【００１０】
しかし、すでにＴＶを所有していて買い替えの必要のないユーザや、ハードディスク内蔵のＴＶは故障し易そうだという不安を感じるユーザが、一時録画およびさかのぼり再生を実現するには、ＴＶに録画装置を接続し、上述の煩雑な操作を行う必要があった。
【００１１】
本発明は上記に鑑みてなされたもので、ＴＶと録画装置とが別の装置であっても、１つのリモコンを用いた簡単なリモコン操作で一時録画およびさかのぼり再生を行うことができる録画再生システムを提供することを目的とする。
【課題を解決するための手段】
【００１２】
上記目的を達成するため、本発明の録画再生システムは、テレビジョン受信装置と、このテレビジョン受信装置と接続された録画装置とを備える録画再生システムであって、前記テレビジョン受信装置は、本録画再生システムを操作するための指示信号を受け付ける指示信号入力手段と、放送される番組を受信して、この番組に含まれる映像信号を、第１の映像信号として抽出する第１の受信手段と、前記録画装置から送信される第２の映像信号を受信する第２の受信手段と、前記第１の映像信号と前記第２の映像信号とのいずれか一方を出力する出力手段と、前記指示信号入力手段が、電源をオンするための前記指示信号を受け付けた場合、本装置を、前記指示信号のみを受け付けるスタンバイ状態から、テレビジョン受信装置としての動作を実行する電源オン状態に切り換えるとともに、前記録画装置に、前記第１の受信手段で受信中の番組と同じ番組を受信させ、この番組に含まれる映像信号を前記第２の映像信号として抽出させて、この抽出した第２の映像信号を一時録画させるための一時録画要求信号を生成し、この生成した一時録画要求信号を、前記録画装置に送信するとともに、前記出力手段の出力を前記第１の映像信号とする一時録画要求手段と、前記指示信号入力手段が、早戻し再生実行のための前記指示信号を受け付けた場合、前記録画装置に一時録画されている前記第２の映像信号を早戻し再生させ、この早戻し再生によって得られる前記第２の映像信号を本装置の送信させるための早戻し再生要求信号を生成し、この生成した早戻し再生要求信号を、前記録画装置に送信するとともに、前記出力手段の出力を、前記第２の受信手段で受信する前記第２の映像信号とする早戻し再生要求手段と、前記指示信号入力手段が、通常再生実行のための前記指示信号を受け付けた場合、前記録画装置に一時録画されている前記第２の映像信号を通常再生させ、この通常再生によって得られる前記第２の映像信号を本装置に送信させるための通常再生要求信号を、前記録画装置に送信するとともに、前記出力手段の出力を、前記第２の受信手段で受信する前記第２の映像信号とする通常再生要求手段とを備える装置であり、前記録画装置は、放送される番組を受信して、この番組に含まれる映像信号を、前記第２の映像信号として抽出する第３の受信手段と、前記第２の映像信号の記録および再生を実行する手段であり、前記第２の映像信号の記録を実行しながら、既に記録済みの前記第２の映像信号を再生することが可能な記録再生手段と、前記記録再生手段で再生された前記第２の映像信号を、前記テレビジョン受信装置に送信する送信手段と、前記一時録画要求信号を、前記テレビジョン受信装置から受信した場合、前記第３の受信手段を用いて、前記テレビジョン受信装置の前記第１の受信手段で受信中の番組と同じ番組を受信させ、この番組に含まれる映像信号を抽出させ、この抽出させた映像信号を前記第２の映像信号として、前記記録再生手段を用いて一時録画させる一時録画制御手段と、前記一時録画中に、前記早戻し再生要求信号を、前記テレビジョン受信装置から受信した場合、前記記録再生手段を用いて、現在実行中の一時録画を継続させながら、既に一時録画された前記第２の映像信号を早戻し再生させ、この早戻し再生によって得られる前記第２の映像信号を、前記送信手段を用いて、前記テレビジョン受信装置へ送信する早戻し再生制御手段と、前記早戻し再生中に、前記通常再生要求信号を、前記テレビジョン受信装置から受信した場合、前記記録再生手段を用いて、現在実行中の早戻し再生を停止させるとともに、この早戻し再生を停止した時点以降に記録されている第２の映像信号を通常再生させ、この通常再生によって得られる第２の映像信号を、前記送信手段を用いて、前記テレビジョン受信装置へ送信する通常再生制御手段とを備える装置であることを特徴とする。
【００１３】
また、本発明の録画再生システムに係る前記テレビジョン受信装置はさらに、前記指示信号入力手段が、前記早戻し再生実行のための指示信号または前記通常再生実行のための指示信号を受け付けた後に、録画実行のための前記指示信号を受け付けた場合、前記録画装置が、早戻し再生または通常再生している前記第２の映像信号を、前記録画実行のための指示信号を受け付けた時点以降から録画保存させるためのさかのぼり録画要求信号を生成し、この生成したさかのぼり録画要求信号を、前記録画装置に送信するさかのぼり録画要求手段を備える装置であり、前記録画装置はさらに、さかのぼり録画要求信号を、前記テレビジョン受信装置から受信した場合、前記記録再生手段を用いて、現在早戻し再生または通常再生している前記第２の映像信号を、前記さかのぼり録画要求信号を受け付けた時点以降から録画保存させるさかのぼり録画制御手段を備える装置であることを特徴とする。
【発明の効果】
【００１４】
本発明の録画再生システムによれば、ＴＶと録画装置とが別の装置であっても、１つのリモコンを用いた簡単なリモコン操作で一時録画およびさかのぼり再生を行うことができる。
【００１５】
さらに、放送中の番組を一時録画しているときに、この一時録画した番組の所望の位置以降を一時録画から通常の録画に切り換えて保存することができる。
【発明を実施するための最良の形態】
【００１６】
以下、本発明の録画再生システムを実施するための最良の形態について、図面を参照して説明する。
【００１７】
図１は、本発明の実施の形態に係る録画再生システムの構成を示すブロック図である。図１に示すように、本実施の形態に係る録画再生システムは、録画装置１０とＴＶ３０とを備えて構成されている。録画装置１０とＴＶ３０とは、ＨＤＭＩ（High Definition Multimedia Interface）規格に準拠しており、ＨＤＭＩケーブル５０を介して接続されている。
【００１８】
図１に示すように、録画装置１０は、チューナ１１と、Ａ／Ｄ変換部１２と、エンコーダ１３と、バッファ１４と、データ制御部１５と、記録媒体１６と、デコーダ１７と、ＨＤＭＩ送信部１８と、コネクタ部１９と、受光部２０と、マイクロコンピュータ（以下、マイコンと略す）２１とを備える。
【００１９】
チューナ１１は、図示しないアンテナを介して放送波から所望の番組を含むチャンネルの放送信号を受信し、この放送信号から抽出される映像信号および音声信号を出力する。
【００２０】
Ａ／Ｄ変換部１２は、チューナ１１がアナログ放送用であった場合、チューナ１１から出力される映像信号と音声信号とをデジタル信号に変換する。なお、チューナ１１がデジタル放送用である場合には、Ａ／Ｄ変換部１２は必要ない。
【００２１】
エンコーダ１３は、Ａ／Ｄ変換部１２またはデジタル放送用のチューナ１１から出力されるデジタルの映像信号と音声信号とを圧縮してデジタルストリームに変換する。
【００２２】
バッファ１４は、エンコーダ１３から出力されるデジタルストリームを一時的に蓄積した後、データ制御部１５に出力する。
【００２３】
データ制御部１５は、バッファ１４から出力されるデジタルストリームを記録媒体１６に記録する処理を行う。また、データ制御部１５は、再生時には、記録媒体１６から所望の番組に対応するデジタルストリームを読み出し、これをデコーダ１７に出力する。
【００２４】
記録媒体１６は、ハードディスク等からなり、データ制御部１５から供給されるデジタルストリームを記録する。
【００２５】
デコーダ１７は、データ制御部１５から供給されるデジタルストリームを伸張し、非圧縮のデジタル映像信号およびデジタル音声信号をＨＤＭＩ送信部１８に出力する。
【００２６】
ＨＤＭＩ送信部１８は、デコーダ１７から出力されるデジタル映像信号およびデジタル音声信号を、ＨＤＭＩ規格の信号に変換して出力する。ＨＤＭＩ送信部１８は、ＨＤＭＩケーブル５０の映像音声ライン５１を介して、ＴＶ３０のＨＤＭＩ受信部３２と接続されている。
【００２７】
コネクタ部１９は、録画装置１０とＨＤＭＩケーブル５０とを物理的に接合するためのものである。
【００２８】
受光部２０は、録画装置１０を操作するためのリモコン２２より出力される例えば赤外線を受光し、この赤外線による伝達信号を操作信号に適宜変換してマイコン２１へ出力する。
【００２９】
マイコン２１は、録画装置１０に設けられた各部を統括的に制御する。また、マイコン２１は、ＨＤＭＩケーブル５０のＣＥＣ（Consumer Electronics Control）ライン５２を介して、ＴＶ３０のマイコン４０と接続され、このマイコン４０とＨＤＭＩのオプション規格であるＣＥＣに準拠したコマンドの送受信を行う。
【００３０】
ＴＶ３０は、チューナ３１と、ＨＤＭＩ受信部３２と、切り換え部３３と、映像処理部３４と、音声処理部３５と、映像表示部３６と、スピーカ３７と、コネクタ部３８と、受光部３９と、マイコン４０とを備える。
【００３１】
チューナ３１は、図示しないアンテナを介して放送波から所望の番組を含むチャンネルの放送信号を受信し、この放送信号から得られる映像信号および音声信号を出力する。
【００３２】
ＨＤＭＩ受信部３２は、ＨＤＭＩケーブル５０の映像音声ライン５１を介して、録画装置１０のＨＤＭＩ送信部１８と接続され、ＨＤＭＩ送信部１８から送信されたＨＤＭＩ規格の映像信号および音声信号を受信し、受信したＨＤＭＩ規格の映像信号および音声信号から、ＨＤＭＩ規格の信号に変換前のデジタル映像信号およびデジタル音声信号を生成する。
【００３３】
切り換え部３３は、チューナ３１からの入力とＨＤＭＩ受信部３２からの入力とを切り換え、チューナ３１およびＨＤＭＩ受信部３２のいずれか一方からのデジタル映像信号およびデジタル音声信号を出力する。なお、このチューナ３１は、デジタル放送用のものを想定している。アナログ放送用の場合は、Ａ／Ｄ変換部が必要となる。
【００３４】
映像処理部３４は、切り換え部３３から出力されるデジタル映像信号に必要な処理を施し、アナログ信号に変換して映像表示部３６に出力する。音声処理部３５は、切り換え部３３から出力されるデジタル音声信号に必要な処理を施し、アナログ信号に変換してスピーカ３７に出力する。
【００３５】
映像表示部３６は、液晶ディスプレイ、プラズマディスプレイ等からなり、映像処理部３４から供給される映像信号を映像に変換して表示する。スピーカ３７は、音声処理部３５から供給される音声信号を音声に変換して出力する。コネクタ部３８は、ＴＶ３０とＨＤＭＩケーブル５０とを物理的に接合するためのものである。
【００３６】
受光部３９は、ＴＶ３０を操作するためのリモコン４１より出力される例えば赤外線を受光し、この赤外線による伝達信号を操作信号に適宜変換してマイコン４０へ出力する。
【００３７】
マイコン４０は、ＴＶ３０に設けられた各部を統括的に制御する。また、マイコン４０は、ＨＤＭＩケーブル５０のＣＥＣライン５２を介して、録画装置１０のマイコン２１と接続され、マイコン２１とＣＥＣコマンドの送受信を行う。
【００３８】
ＨＤＭＩケーブル５０は、映像音声ライン５１と、ＣＥＣライン５２とに分割されている。映像音声ライン５１は、録画装置１０のＨＤＭＩ送信部１８と、ＴＶ３０のＨＤＭＩ受信部３２とを接続し、映像信号および音声信号を伝送する。ＣＥＣライン５２は、録画装置１０のマイコン２１と、ＴＶ３０のマイコン４０とを接続し、ＣＥＣコマンドを伝送する。
【００３９】
ＣＥＣコマンドには、電源オン、オフや入力切り換え、再生開始、再生停止、早送り再生、早戻し再生などを制御する汎用コマンドと、ベンダーが独自に定義できるオプションのベンダーユニークコマンドとがある。本実施の形態では、ベンダーユニークコマンドとして、図２に示すように、一時録画の開始を要求するコマンドと、一時録画の停止を要求するコマンドと、受信チャンネルの変更を要求するコマンドと、一時録画した番組の保存を要求するコマンドと、さかのぼり録画の開始を要求するコマンドと、さかのぼり録画の停止を要求するコマンドとを定義している。ＴＶ３０のマイコン４０は、これらのＣＥＣコマンドを用いて録画装置１０に各種の動作を行わせることができる。
【００４０】
次に、本実施の形態に係る録画再生システムの動作について説明する。
【００４１】
まず、ＴＶ３０で受信中の番組と同じ番組を録画装置１０で一時録画する際の動作について説明する。
【００４２】
ユーザ操作によりリモコン４１から受光部３９を介してＴＶ３０の電源をオンにする指示信号が入力されると、マイコン４０は、ＴＶ３０の電源をオンにするとともに、所望のチャンネルの放送信号をチューナ３１に受信させる。そして、マイコン４０は、チューナ３１で受信しているチャンネルの放送信号から得られるデジタル映像信号、デジタル音声信号を切り換え部３３を介して、それぞれ映像処理部３４、音声処理部３５に供給させる。
【００４３】
そして、映像処理部３４は、供給された映像信号に必要な処理を施した後、アナログ信号に変換して、映像表示部３６に供給して映像を表示させる。音声処理部３５は、供給された音声信号に必要な処理を施した後、アナログ信号に変換して、スピーカ３７に供給して音声を出力させる。
【００４４】
また、ＴＶ３０のマイコン４０は、電源をオンにする指示信号が入力されると、ベンダーユニークコマンドである一時録画の開始を要求するコマンドを、ＨＤＭＩケーブル５０のＣＥＣライン５２を介して録画装置１０のマイコン２１に送信する。ここで、一時録画の開始を要求するコマンドには、ＴＶ３０のチューナ３１で現在受信中のチャンネルを示す情報が含まれている。
【００４５】
録画装置１０のマイコン２１は、ＴＶ３０のマイコン４０から一時録画の開始を要求するコマンドを受信すると、録画装置１０の電源がオフの状態であれば電源をオンとした後、ＴＶ３０のチューナ３１で現在受信中のチャンネルと同じチャンネルをチューナ１１に受信させる。なお、録画装置１０の電源がオフの状態とは、主要部の電源はオフとなっているが、リモコン等からの操作入力は受け付ける、所謂スタンバイの状態である。
【００４６】
Ａ／Ｄ変換部１２は、チューナ１１から出力される映像信号と音声信号とをデジタル信号に変換してエンコーダ１３に出力する。エンコーダ１３は、Ａ／Ｄ変換部１２から出力されるデジタルの映像信号と音声信号とを圧縮してデジタルストリームに変換しバッファ１４に出力する。バッファ１４は、エンコーダ１３から出力されるデジタルストリームを一時的に蓄積した後、データ制御部１５に出力する。そして、データ制御部１５は、バッファ１４から出力されるデジタルストリームを記録媒体１６に記録する。
【００４７】
ここで、ユーザがＴＶ３０のリモコン４１を操作することにより、受信中のチャンネルとは別のチャンネルに変更する指示信号が入力されると、ＴＶ３０のマイコン４０は、指示されたチャンネルをチューナ３１に受信させるとともに、ベンダーユニークコマンドである受信チャンネルの変更を要求するコマンドを録画装置１０のマイコン２１に送信する。
【００４８】
録画装置１０のマイコン２１は、ＴＶ３０のマイコン４０から受信チャンネルの変更を要求するコマンドを受信すると、このコマンドにより指示されたチャンネルの放送信号をチューナ３１に受信させる。これにより変更後のチャンネルに含まれる番組が一時録画される。
【００４９】
上記のような手順により、番組をＴＶ３０で表示しながら録画装置１０で一時録画している状態となる。
【００５０】
ここで、もう一度見たいシーンや見逃したシーンが生じた場合、ユーザは、視聴している番組のさかのぼり再生を行うことにより、目的のシーンを視聴することができる。
【００５１】
さかのぼり再生を行う際のユーザの操作について説明する。まず、ユーザは、目的のシーンを選択するために、リモコン４１の早戻し再生ボタン（図示せず）を押下して、一時録画した番組の早戻し再生の状態にする。そして、目的のシーンに差し掛かったら、ユーザは、リモコン４１の再生ボタン（図示せず）を押下し、その時点からの通常の再生を行う。これにより、ユーザは、さかのぼり再生を実現し、目的のシーンを視聴することができる。なお、以降の説明で、単に「再生」とのみ記述がある場合は、「通常の再生」を示すこととする。
【００５２】
このようなユーザの操作に応じてさかのぼり再生を実現する際の録画再生システムの動作について説明する。
【００５３】
上述の手順により番組をＴＶ３０で表示しながら録画装置１０で一時録画している状態で、ユーザがＴＶ３０のリモコン４１を操作することにより、一時録画中の番組の早戻し再生を行う指示信号が入力されると、ＴＶ３０のマイコン４０は、汎用コマンドである早戻し再生を要求するコマンドを録画装置１０のマイコン２１に送信する。なお、ＴＶ３０のマイコン４０には、早戻し再生、早送り再生、通常の再生、録画、停止等を指示するための操作ボタン（いずれも図示せず）が設けられているものとする。
【００５４】
録画装置１０のマイコン２１は、ＴＶ３０のマイコン４０から早戻し再生を要求するコマンドを受信すると、一時録画した番組を、記録した方向とは逆方向に早戻し再生し、この早戻し再生によって記録媒体１６から読み出したデジタルストリームをデコーダ１７に供給するようにデータ制御部１５を制御する。
【００５５】
デコーダ１７は、データ制御部１５から供給されるデジタルストリームを伸張し、非圧縮のデジタル映像信号およびデジタル音声信号をＨＤＭＩ送信部１８に出力する。そして、ＨＤＭＩ送信部１８は、デコーダ１７から出力されるデジタル映像信号およびデジタル音声信号を、ＨＤＭＩ規格の信号に変換し、ＨＤＭＩケーブル５０の映像音声ライン５１を介して、ＴＶ３０のＨＤＭＩ受信部３２に送信する。
【００５６】
ＴＶ３０のＨＤＭＩ受信部３２は、録画装置１０のＨＤＭＩ送信部１８から送信されたＨＤＭＩ規格の映像信号および音声信号を受信すると、この受信したＨＤＭＩ規格の映像信号および音声信号から、ＨＤＭＩ規格の信号に変換前のデジタル映像信号およびデジタル音声信号を生成する。
【００５７】
そして、マイコン４０は、チューナ３１からＨＤＭＩ受信部３２に入力を切り換えるように切り換え部３３を制御し、ＨＤＭＩ受信部３２からのデジタル映像信号、デジタル音声信号を、それぞれ映像処理部３４、音声処理部３５に供給させる。
【００５８】
その後、映像処理部３４は、供給された映像信号に必要な処理を施した後、アナログ信号に変換して、映像表示部３６に供給して映像を表示させる。音声処理部３５は、供給された音声信号に必要な処理を施した後、アナログ信号に変換して、スピーカ３７に供給して音声を出力させる。このようにして、一時録画した番組を早戻し再生の状態とする。
【００５９】
この一時録画番組の早戻し再生中に、ユーザがＴＶ３０のリモコン４１を操作することにより、早戻し再生中の一時録画番組の通常の（順方向の）再生を行う指示信号が入力されると、ＴＶ３０のマイコン４０は、汎用コマンドである再生を要求するコマンドを録画装置１０のマイコン２１に送信する。
【００６０】
録画装置１０のマイコン２１は、ＴＶ３０のマイコン４０から再生を要求するコマンドを受信すると、記録媒体１６に一時録画した番組を、再生要求が入力された時点における再生位置から再生し、この再生によって読み出したデジタルストリームをデコーダ１７に供給するようにデータ制御部１５を制御する。
【００６１】
デコーダ１７は、データ制御部１５から供給されるデジタルストリームを伸張して非圧縮のデジタル映像信号およびデジタル音声信号をＨＤＭＩ送信部１８に出力し、ＨＤＭＩ送信部１８は、デコーダ１７から出力されるデジタル映像信号およびデジタル音声信号をＨＤＭＩ規格の信号に変換して、ＴＶ３０のＨＤＭＩ受信部３２に送信する。そして、ＴＶ３０において上記と同様にして映像および音声を出力する。
【００６２】
以上の手順により、一時録画番組のさかのぼり再生（時間差再生）を実現する。なお、さかのぼり再生中も番組の一時録画は継続している。
【００６３】
次に、上記のようにして実現したさかのぼり再生を停止する際の動作について説明する。
【００６４】
この一時録画番組のさかのぼり再生中に、ユーザがＴＶ３０のリモコン４１を操作することにより、再生を停止する指示信号が入力されると、ＴＶ３０のマイコン４０は、汎用コマンドである再生停止を要求するコマンドを録画装置１０のマイコン２１に送信する。
【００６５】
録画装置１０のマイコン２１は、ＴＶ３０のマイコン４０から再生停止を要求するコマンドを受信すると、データ制御部１５に指示を出し、記録媒体１６からのデータストリームの読み出しを停止させて、さかのぼり再生を停止させる。
【００６６】
また、ＴＶ３０のマイコン４０は、再生を停止する指示信号が入力されると、ＨＤＭＩ受信部３２からチューナ３１に入力を切り換えるように切り換え部３３を制御し、チューナ３１からのデジタル映像信号、デジタル音声信号を、それぞれ映像処理部３４、音声処理部３５に供給させる。これにより、ＴＶ３０では、現在放送中の番組の映像および音声が出力され、番組をＴＶ３０で表示しながら録画装置１０で一時録画している状態に戻る。
【００６７】
次に、本録画再生システムの電源をオフする際の動作について説明する。
【００６８】
ユーザがＴＶ３０のリモコン４１を操作することにより、ＴＶ３０の電源をオフにする指示信号が入力されると、ＴＶ３０のマイコン４０は、ベンダーユニークコマンドである一時録画の停止を要求するコマンドを録画装置１０のマイコン２１に送信する。
【００６９】
録画装置１０のマイコン２１は、ＴＶ３０のマイコン４０から一時録画の停止を要求するコマンドを受信すると、一時録画を終了するとともに一時録画番組に対応するデジタルストリームを記録媒体１６から消去するようにデータ制御部１５を制御し、録画装置１０の電源をオフとする。
【００７０】
なお、この電源オフの直前までに一時録画していた番組を、恒久的に保存することも可能である。以下にその際の動作について説明する。
【００７１】
上記した電源オフの動作の前に、ユーザがＴＶ３０のリモコン４１を操作することにより、一時録画した番組の保存を指示する信号が入力された場合、ＴＶ３０のマイコン４０は、ベンダーユニークコマンドである一時録画した番組の保存を要求するコマンドを録画装置１０のマイコン２１に送信する。録画装置１０のマイコン２１は、ＴＶ３０のマイコン４０から一時録画した番組の保存を要求するコマンドを受信した場合、一時録画番組に対応するデジタルストリームを電源オフの際にも消去せず、記録媒体１６に保存するようにデータ制御部１５を制御する。
【００７２】
次に、さかのぼり録画を行う際の動作について説明する。ここで、さかのぼり録画は、現在放送中の番組を一時録画しているときに、この一時録画した番組の所望の位置以降を一時録画から通常の録画に切り換えて保存する機能である。
【００７３】
さかのぼり録画を行う際のユーザの操作について説明する。まず、ユーザは、リモコン４１の早戻し再生ボタンを押下して、一時録画した番組の早戻し再生の状態にする。次いで、録画保存したいシーンの開始位置で、リモコン４１の再生一時停止ボタン（図示せず）を押下して早戻し再生を停止する。そして、リモコン４１の録画ボタン（図示せず）を押下することで、一時停止した時点における再生位置以降の番組を録画保存することができる。
【００７４】
このようなユーザの操作に応じてさかのぼり録画を実現する際の録画再生システムの動作について説明する。
【００７５】
まず、上述した一時録画およびさかのぼり再生する際と同様の動作により、ＴＶ３０の電源をオンにして録画装置１０で一時録画を開始し、一時録画番組を早戻し再生する。
【００７６】
一時録画番組の早戻し再生中に、ユーザがＴＶ３０のリモコン４１を操作することにより、早戻し再生中の一時録画番組の再生一時停止を指示する信号が入力されると、ＴＶ３０のマイコン４０は、汎用コマンドである一時停止を要求するコマンドを録画装置１０のマイコン２１に送信する。
【００７７】
録画装置１０のマイコン２１は、ＴＶ３０のマイコン４０から一時停止を要求するコマンドを受信すると、データ制御部１５に記録媒体１６からのデータストリームの読み出しを停止させて、早戻し再生を一時停止させる。
【００７８】
次いで、ユーザがＴＶ３０のリモコン４１を操作することにより、録画の開始を指示する信号が入力されると、ＴＶ３０のマイコン４０は、ベンダーユニークコマンドであるさかのぼり録画の開始を要求するコマンドを録画装置１０のマイコン２１に送信する。
【００７９】
録画装置１０のマイコン２１は、ＴＶ３０のマイコン４０からさかのぼり録画の開始を要求するコマンドを受信すると、記録媒体１６に記録された一時録画番組のデジタルストリームのうち、一時停止した時点における再生位置以降のデジタルストリームを保存するとともに、録画装置１０で受信中の番組を、現在放送中の時点から記録媒体１６に録画保存するようにデータ制御部１５を制御する。
【００８０】
また、ＴＶ３０のマイコン４０は、録画の開始を指示する信号が入力されると、汎用コマンドである早戻し再生停止を要求するコマンドを録画装置１０のマイコン２１に送信する。録画装置１０のマイコン２１は、ＴＶ３０のマイコン４０から早戻し再生停止を要求するコマンドを受信すると、データ制御部１５を制御して早戻し再生を停止させる。
【００８１】
また、ＴＶ３０のマイコン４０は、録画の開始を指示する信号が入力されると、映像信号、音声信号の入力をＨＤＭＩ受信部３２からチューナ３１に入力を切り換えるように切り換え部３３を制御し、チューナ３１からのデジタル映像信号、デジタル音声信号を、それぞれ映像処理部３４、音声処理部３５に供給させる。これにより、ＴＶ３０では、現在放送中の番組の映像および音声が出力される。
【００８２】
なお、以上の説明では、さかのぼり録画を実行する際に、早戻し再生や通常の再生を停止してからさかのぼり録画を実行する例を示したが、早戻し再生や通常の再生を実行中にさかのぼり録画を実行してもよい。この場合は、さかのぼり録画を実行した時点における再生位置以降のデジタルストリームを保存することになる。
【００８３】
次に、さかのぼり録画を停止する際の動作について説明する。
【００８４】
ユーザがＴＶ３０のリモコン４１を操作することにより、録画の停止を指示する信号が入力されると、ＴＶ３０のマイコン４０は、ベンダーユニークコマンドであるさかのぼり録画の停止を要求するコマンドを録画装置１０のマイコン２１に送信する。
【００８５】
録画装置１０のマイコン２１は、ＴＶ３０のマイコン４０から録画の停止を要求するコマンドを受信すると、データ制御部１５を制御して受信中の番組の録画保存を停止させ、一時録画を開始させる。これにより、番組をＴＶ３０で表示しながら録画装置１０で一時録画している状態に戻る。
【００８６】
上記説明のように本実施の形態によれば、ＨＤＭＩ規格に準拠した録画装置１０とＴＶ３０とをＨＤＭＩケーブル５０を介して接続し、ＣＥＣコマンドを用いてＴＶ３０から録画装置１０を制御するので、録画装置１０を意識することなく、ＴＶ３０用の１つのリモコン４１を用いた簡単な操作で、一時録画、さかのぼり再生、およびさかのぼり録画を行うことができる。
【００８７】
なお、上記実施の形態とは逆に、録画装置１０のリモコン２２を操作し、ＣＥＣコマンドを用いて録画装置１０からＴＶ３０を制御するような構成も実現可能である。
【図面の簡単な説明】
【００８８】
【図１】本発明の実施の形態に係る録画再生システムの構成を示すブロック図である。
【図２】本発明の実施の形態で定義するベンダーユニークコマンドを示す表図である。
【図３】従来の録画再生システムを示す概略図である。
【符号の説明】
【００８９】
１０  録画装置
１１  チューナ
１２  Ａ／Ｄ変換部
１３  エンコーダ
１４  バッファ
１５  データ制御部
１６  記録媒体
１７  デコーダ
１８  ＨＤＭＩ送信部
１９  コネクタ部
２０  受光部
２１  マイクロコンピュータ（マイコン）
３０  テレビジョン受信装置（ＴＶ）
３１  チューナ
３２  ＨＤＭＩ受信部
３３  切り換え部
３４  映像処理部
３５  音声処理部
３６  映像表示部
３７  スピーカ
３８  コネクタ
３９  受光部
４０  マイクロコンピュータ（マイコン）
５０  ＨＤＭＩケーブル
５１  映像音声ライン
５２  ＣＥＣライン
【図１】
2009188921.tif 000003
【図２】
2009188921.tif 000004
【図３】
2009188921.tif 000005